(57)【特許請求の範囲】
【請求項１】
無線通信システムにおいて遅延可能データを転送する方法であって、
遅延可能データを転送する命令を受信する転送命令受信工程と、
エア・インタフェースが輻輳しているか否かを判定する輻輳判定工程と、
エア・インタフェースが輻輳している場合、遅延可能データの転送を遅延させる転送遅延工程と、
転送遅延工程に続いて、エア・インタフェースが輻輳していないと判定する輻輳否定判定工程と、
輻輳否定判定工程に応じて、遅延可能データの転送をさらに遅延させる追加遅延期間を決定する追加遅延期間決定工程と、追加遅延期間の長さは移動局が遅延可能データの転送を待機していた時間の量に反比例することと、
遅延可能期間の満了時に、遅延可能データを転送する転送工程とから成る方法。
【請求項２】
遅延可能データは、（ｉ）遅延可能データ・サービスおよび対応するサービス・オプション値と、（ｉｉ）複数のサービス品質（ＱｏＳ）パラメータとのうちの少なくとも一方に関連する請求項１に記載の方法。
【請求項３】
輻輳判定工程は遅延可能データの転送が可能であるか否かを通知するシグナリング・メッセージを受信するメッセージ受信工程を含み、
転送遅延工程は受信したシグナリング・メッセージに基づいて、遅延可能データを転送しないと決定する転送否定決定工程を含む請求項１に記載の方法。
【請求項４】
前記シグナリング・メッセージはシグナリング・チャネルを通じて受信される第１のシグナリング・メッセージから成り、さらに、
エア・インタフェースが輻輳している場合、シグナリング・チャネルを監視するチャネル監視工程と、
シグナリング・チャネルを通じて第２のシグナリング・メッセージを受信する第２メッセージ受信工程と、
遅延可能データの転送が可能であることを第２のシグナリング・メッセージが通知する場合、遅延可能データを転送する転送工程とを含む請求項３に記載の方法。
【請求項５】
転送遅延工程は、エア・インタフェースが輻輳している場合、遅延可能データの一部分のみの転送を許可する部分転送許可工程を含む請求項１に記載の方法。
【請求項６】
無線通信システムにおいて遅延可能データを転送することが可能な移動局であって、
遅延可能データを記憶することが可能な１つ以上のメモリ・デバイスと、
遅延可能データを転送する命令を受信し、エア・インタフェースが輻輳しているか否かを判定し、エア・インタフェースが輻輳している場合には遅延可能データの転送を遅延させ、エア・インタフェースが輻輳していない場合には遅延可能データを転送し、エア・インタフェースが輻輳していると判定し遅延可能データの転送を遅延させることに続いて、エア・インタフェースが輻輳していないと判定し、エア・インタフェースが輻輳していないと判定することに応じて、遅延可能データの転送をさらに遅延させる追加遅延期間を決定し、遅延可能期間の満了時に遅延可能データを転送する、同１つ以上のメモリ・デバイスに関連するプロセッサとから成り、追加遅延期間の長さは移動局が遅延可能データの転送を待機していた時間の量に反比例する移動局。
【請求項７】
遅延可能データは遅延可能データ・サービスおよび対応するサービス・オプション値に関連し、サービス・オプション値は１つ以上のメモリ・デバイスに保持され、プロセッサは、サービス・オプション値に関連するデータの転送の認可を拒否するという受信した情報に基づいて、エア・インタフェースが輻輳しているか否かを判定する請求項６に記載の移動局。
【請求項８】
１つ以上のメモリ・デバイスは複数のサービス品質（ＱｏＳ）パラメータを記憶し、遅延可能データは複数のＱｏＳパラメータのうちの１つ以上のＱｏＳパラメータに関連し、プロセッサは同１つ以上のＱｏＳパラメータに関連する遅延可能データを転送する請求項６に記載の移動局。
【請求項９】
プロセッサは遅延可能データの転送が可能であるか否かを通知するシグナリング・メッセージに基づいてエア・インタフェースが輻輳しているか否かを判定し、プロセッサはシグナリング・メッセージに基づいて遅延可能データを転送するか否かを判定する請求項６に記載の移動局。
【請求項１０】
前記シグナリング・メッセージはシグナリング・チャネルを通じて受信される第１のシグナリング・メッセージから成り、
プロセッサは、エア・インタフェースが輻輳している場合、シグナリング・チャネルを監視し、シグナリング・チャネルを通じて第２のシグナリング・メッセージを受信し、遅延可能データの転送が可能であることを第２のシグナリング・メッセージが通知する場合、遅延可能データを転送する請求項９に記載の移動局。
【発明の詳細な説明】
【技術分野】
【０００１】
本発明は一般的にセルラ通信システムに関し、より詳細にはセルラ通信システムにおける遅延可能データ・サービスの提供に関する。
【背景技術】
【０００２】
セルラ・サービス・プロバイダが、ネットワークを２．５Ｇ（２．５世代）システムおよび３Ｇシステムなどの新世代システムに更新すると、旧来のシステムでは提供され得なかったデータ・サービスが、ネットワークに提供され得る。例えば、２．５Ｇシステムおよび３Ｇシステムでは、写真の受け渡しや、添付ありの電子メールなどの電子メール・サービスを提供することが可能であるが、これらのサービスは、先行のシステムによっては提供され得なかった。しかしながら、そのようなデータ・サービスは、限定の結果として高価な資源である、帯域幅を大量に消費する。
【０００３】
相応の顧客サービスを提供するために、セルラ・サービス・プロバイダは、ピーク負荷の需要を充分に満たすような帯域幅を有する必要がある。２．５Ｇシステムおよび３Ｇシステムによる追加のデータ・サービスを可能とするには、ピーク負荷需要を満たすために利用可能な充分な帯域幅をセルラ・サービス・プロバイダが有さない場合もあり、高額な、おそらくは法外な出費で、追加の帯域幅を獲得することが必要な場合もある。その結果、顧客サービスが縮小されるか、または企業の債務負担が過剰となる。しかしながら、データ・サービスを低負荷（ｏｆｆ  ｌｏａｄ）期間へ移行させ得る場合には、豊富な帯域幅を利用可能である。例えば、典型的な無線通信システムでは、ラジオ周波数（ＲＦ）帯域幅の平均利用率は低く、一般に３５パーセント（％）から６５％の範囲である。しかしながら、ピーク負荷期間の瞬間的なＲＦ帯域利用率は、それより大幅に高く１００％近くになる場合があり、低負荷のＲＦ帯域利用率は、それより大幅に低く、時には１０％以下である場合がある。
【発明の開示】
【発明が解決しようとする課題】
【０００４】
したがって、セルラ・サービス・プロバイダによるデータ・サービスの提供を低負荷期間に移行させる方法および装置が必要である。
【課題を解決するための手段】
【０００５】
セルラ・サービス・プロバイダによるデータ・サービスの提供を低負荷期間へ移行させる方法および装置の必要に応じるため、遅延可能データを転送する命令の受信時に、エア・インタフェースは輻輳しているか否かを通信システムが判定し、エア・インタフェースが輻輳している場合、遅延可能データの転送を遅延させるか、または、遅延可能な、より低い優先順位のデータを、より高い優先順位のデータとして転送するような通信システムを提供する。遅延可能データの転送中、エア・インタフェースは輻輳していると通信システムが判定する場合、通信システムは呼を終止させ、遅延されたデータ転送の部分的に完了した状態を保存してもよい。通信システムは呼の終止に続き、エア・インタフェースを通じる別のデータ接続を確立させ、確立したデータ接続を通じて、任意の残存する未転送の遅延可能データを転送する。システムの加入者が、より高い優先順位のデータをより低い優先順位のデータとして転送することを阻止するために、さらに通信システムは、より低い優先順位のデータの転送を指定期間に制限し、この指定期間および他の期間に、より高い優先順位のデータの転送を許可してもよい。
【０００６】
一般に、本発明の一実施態様には、無線通信システムにおいて遅延可能データを転送する方法が含まれる。この方法は、遅延可能データを転送する命令を受信する工程と、エア・インタフェースが輻輳しているか否かを判定する工程と、エア・インタフェースが輻輳している場合、遅延可能データの転送を遅延させる工程とを含む。
【０００７】
本発明の別の実施態様には、無線通信システムにおいて遅延可能データを転送する方法が含まれる。この方法は、第１の優先順位のデータである遅延可能データを転送する命令を受信する工程と、エア・インタフェースが輻輳していると判定する工程と、エア・インタフェースが輻輳していると判定する工程に応じて、第２の優先順位のデータとして遅延可能データを転送する転送工程とを含む。
【０００８】
本発明のさらに別の実施態様には、無線通信システムにおいて遅延可能データを転送する方法が含まれる。この方法は、移動局と、エア・インタフェースを通じる第１のデータ接続を介する遅延可能データの転送とを伴う呼に参加する工程と、エア・インタフェースが輻輳していると判定する工程と、エア・インタフェースが輻輳していると判定する工程に応じて、呼を終止させる工程と、移動局における遅延されたデータ転送の部分的に完了した状態を保存する工程と、呼を終止させる工程に続いて、エア・インタフェースを通じる第２のデータ接続を確立させる工程と、任意の残存する未転送の遅延可能データを第２のデータ接続を通じて転送する工程とを含む。
【０００９】
本発明のさらに別の実施態様には、無線通信システムにおいて遅延可能データを転送することが可能な移動局が含まれる。この移動局は、遅延可能データを記憶することが可能な１つ以上のメモリ・デバイスを含む。この移動局はさらに、遅延可能データを転送する命令を受信し、エア・インタフェースが輻輳しているか否かを判定し、エア・インタフェースが輻輳している場合には遅延可能データの転送を遅延させ、かつエア・インタフェースが輻輳していない場合には遅延可能データを転送する、先の１つ以上のメモリ・デバイスに関連するプロセッサを含む。
【００１０】
本発明のさらに別の実施態様には、無線通信システムにおいて遅延可能データを転送することが可能な移動局が含まれる。この移動局は、遅延可能データを記憶することが可能な１つ以上のメモリ・デバイスを含む。この移動局はさらに、第１の優先順位のデータである遅延可能データを転送する命令を受信し、エア・インタフェースが輻輳していると判定し、かつエア・インタフェースが輻輳していると判定することに応じて第２の優先順位のデータとして遅延可能データを転送する、先の１つ以上のメモリ・デバイスに関連するプロセッサを含む。
【００１１】
本発明のさらに別の実施態様には、無線通信システムにおいて遅延可能データを転送することが可能な移動局が含まれる。この移動局は、遅延可能データを記憶することが可能な１つ以上のメモリ・デバイスを含む。この移動局はさらに、エア・インタフェースを通じる第１のデータ接続を確立させ、第１のデータ接続を介する遅延可能データの転送を伴う呼に参加し、エア・インタフェースが輻輳していると判定し、エア・インタフェースが輻輳していると判定することに応じて呼を終止させ、先の１つ以上のメモリ・デバイスに移動局における転送の部分的に完了した状態を記憶し、呼を終止させることに続いてエア・インタフェースを通じる第２のデータ接続を確立させ、かつ任意の残存する未転送の遅延可能データを第２のデータ接続を通じて転送することが可能である、先の１つ以上のメモリ・デバイスに関連するプロセッサを含む。
【００１２】
本発明のさらに別の実施態様には、無線通信システムにおける遅延可能データの転送装置が含まれる。この転送装置は、ラジオ・アクセス・ネットワークにおける制御装置から成り、この制御装置は、遅延可能データ認可データ・フィールドを有するオーバーヘッド・メッセージを組立てる命令を記憶する１つ以上のメモリ・デバイスと、オーバーヘッド・メッセージを組立て、遅延可能データの転送が認可されるか否かを通知するデータを遅延可能データ認可データ・フィールドに埋込み、かつ移動局にオーバーヘッド・メッセージを伝達する、先の１つ以上のメモリ・デバイスに関連するプロセッサとを有する。
【００１３】
本発明のさらに別の実施態様には、より高い優先順位のデータと、より低い優先順位のデータとから成るデータを無線通信システムにおいて転送する方法が含まれる。この方法は、より低い優先順位のデータの転送を複数の指定期間に制限する工程と、それらの指定期間および他の期間に、より高い優先順位のデータの転送を許可する転送許可工程とを含む。
【発明を実施するための最良の形態】
【００１４】
本発明は図１〜７を参照して、さらに完全に説明され得る。図１は、本発明の一実施態様による無線通信システム１００のブロック図である。通信システム１００は、ラジオ・アクセス・ネットワーク（ＲＡＮ）１１２と無線通信する、１つ以上の移動局（ＭＳ）１０２を含む。ＲＡＮ１１２は、制御装置１１６に動作可能に結合される１つ以上のトランシーバ１１４を含む。通信システム１００は、サービングＧＰＲＳサポート・ノード（ＳＧＳＮ）またはパケット・データ・サポート・ノード（ＰＤＳＮ）などのサポート・ノード１２６をさらに含む。サポート・ノードはＲＡＮ１１２に動作可能に結合され、認証（Ａｕｔｈｅｎｔｉｃａｔｉｏｎ）、許可（Ａｕｔｈｏｒｉｚａｔｉｏｎ）、およびアカウンティング（Ａｃｃｏｕｎｔｉｎｇ）（ＡＡＡ）サーバ（図示せず）を含む請求システム１５０にさらに結合される。ＲＡＮ１１２およびサポート・ノード１２６を、集合的に無線インフラストラクチャ１１０と呼ぶ。当該技術分野において公知であるように、ＲＡＮ１１２は、無線基地局（ＢＴＳ）、基地局制御装置（ＢＳＣ）、およびパケット制御ユニット（ＰＣＵ）またはパケット制御機能（ＰＣＦ）などの要素を含んでよい。ＲＡＮ１１２などのＲＡＮがそのような要素を含む場合、制御装置１１６は、そのような要素のうちの任意の１つに含まれてもよく、そのような要素の間に分散されてもよい。
【００１５】
ＲＡＮ１１２は、エア・インタフェース１２８を介してＲＡＮがサービス提供するカバレッジ領域に位置する、ＭＳ１０２などの移動局に通信サービスを提供する。エア・インタフェース１２８は、各々が複数の通信チャネルを含むフォーワード・リンク（ｆｏｒｗａｒｄ  ｌｉｎｋ）１３０と、リバース・リンク（ｒｅｖｅｒｓｅ  ｌｉｎｋ）１３５とから成る。好適には、フォーワード・リンク１３０は、ページング・チャネル１３１と、１つ以上のフォーワード・リンク・シグナリング・チャネル１３２と、１つ以上のフォーワード・リンク・トラフィック・チャネル１３３とを含む。好適には、リバース・リンク１３５は、リバース・リンク・アクセス・チャネル１３６と、１つ以上のリバース・リンク・シグナリング・チャネル１３７と、１つ以上のリバース・リンク・トラフィック・チャネル１３８とを含む。
【００１６】
ＭＳ１０２および制御装置１１６の各々は、１つ以上のマイクロプロセッサ、マイクロ制御装置、デジタル信号プロセッサ（ＤＳＰ）、これらの組合せ、または当業者に公知のそのような他のデバイスなど、プロセッサ１０６、１１８をそれぞれ含む。ＭＳ１０２および制御装置１１６の各々は、データと、それぞれのプロセッサによって実行されてプロセッサが通信システム１００において動作することを可能とし得るプログラムとを記憶する、ランダム・アクセス・メモリ（ＲＡＭ）、動的ランダム・アクセス・メモリ（ＤＲＡＭ）、およびリード・オンリー・メモリ（ＲＯＭ）のうちの少なくとも１つ、またはその均等物など、それぞれのプロセッサに関連する１つ以上のメモリ・デバイス１０８、１２０をそれぞれさらに含む。
【００１７】
メモリ・デバイス１０８、１２０の各々は、複数のサービス・オプション（ＳＯ）値、例えば、「通常」データに対応するＳＯ値、ＳＯ  ０ｘ００２１（すなわち、１６進数表記で「３３」）や、例えば、「遅延可能」データに対応するＳＯ値、ＳＯ  ０ｘ８０１Ｂなどをさらに記憶する。ＳＯ値を記憶することに加えて、またはそれに代えて、メモリ・デバイス１０８、１２０の各々が複数のサービス品質（ＱｏＳ）パラメータを記憶してもよい。複数のＱｏＳパラメータから成る第１の組のＱｏＳパラメータは、第１の優先順位のデータ、すなわち「遅延可能」データなど、より低い優先順位のデータの転送用に所望されるサービス品質に対応する。複数のＱｏＳパラメータから成る第２の組のＱｏＳパラメータは、第２の優先順位のデータ、すなわち「通常」データなど、より高い優先順位のデータの転送用に所望されるサービス品質に対応する。
【００１８】
ＭＳ１０２は、プロセッサ１０６に結合されたユーザ・インタフェース１０４をさらに含む。ユーザ・インタフェース１０４は、命令をＭＳに入力することを含め、ＭＳと対話する能力をＭＳのユーザに提供する。本発明の一実施態様では、ユーザ・インタフェース１０４は、表示スクリーンおよびキーパッドを含む。本発明の別の実施態様では、ユーザ・インタフェース１０４の表示スクリーンは、ユーザの接触位置（すなわち、Ｘ座標およびＹ座標）を判定し、その位置のデータをプロセッサ１０６へ伝達することが可能なタッチ・スクリーンを含む。この位置データに基づき、プロセッサ１０６は、ユーザの接触を命令に翻訳する。本発明のさらに別の実施態様では、ユーザ・インタフェース１０４は、それぞれ写真データを記憶または受信する、カメラまたはカメラに結合可能なインタフェースをさらに含んでよい。続いて、ＭＳ１０２はメモリ・デバイス１０８に写真データをデジタル方式で記憶する。
【００１９】
好適には、通信システム１００は、３ＧＰＰ２（第３世代パートナーシップ・プロジェクト２）およびＴＩＡ／ＥＩＡ（米国電気通信工業会／電子工業会）のＩＳ−２０００規格に従って動作する、符号分割多元接続（ＣＤＭＡ）通信システムである。この規格では、ＩＳ−２０００エア・インタフェースを含むｃｄｍａ２０００の互換性規格が提供されており、この規格全体を本明細書に引用して援用する。この規格では、ラジオ・システム・パラメータおよび呼処理手続きを含む、無線電気通信システム動作プロトコルが規定されている。通信システム１００において、アクセス・チャネル、制御チャネル、ページング・チャネル、およびトラフィック・チャネルなど、フォーワード・リンク１３０またはリバース・リンク１３５の通信チャネルは、ウォルシュ符号（Ｗａｌｓｈ  Ｃｏｄｅｓ）など、同一周波数帯域で送信される直交符号から成る。しかしながら、通信システム１００が、以下に限定されないが、移動体通信用グローバル・システム（ＧＳＭ）の通信システム、時分割多元接続（ＴＤＭＡ）通信システム、周波数分割多元接続（ＦＤＭＡ）通信システム、または直交周波数分割多元接続（ＯＦＤＭ）通信システムなど、任意の無線電気通信システムに従って動作可能であることは、当業者には理解されるであろう。
【００２０】
ラジオ周波数（ＲＦ）帯域の利用率を最大にするために、通信システム１００によって、帯域利用率が高い高負荷すなわちピーク負荷期間の「遅延可能」データの転送を、帯域利用率が低い低負荷期間に遅延させる。通信システム１００は、高ＲＦコスト環境のユーザにデータ転送を遅延させることによって、能力をさらに最大化してもよい。高ＲＦコスト環境のユーザの例には、フォーワード・リンクに対してのより多くの電力、より多くのソフト・ハンドオフ・レグ（ｌｅｇ）（より多くのウォルシュ符号、トラフィック・チャネル・モデム、およびバックホール利用）、またはその両方を必要とするユーザが含まれる。遅延可能データの送信を遅延させることによって、ピーク負荷が低減される場合もあり、オフ・ピーク（ｏｆｆ  ｐｅａｋ）の帯域利用率が改善される場合もある。
【００２１】
図２は、本発明の一実施態様における、通信システム１００による遅延可能データ・サービスの提供を示す論理フローチャート２００である。論理フローチャート２００が開始（２０２）されると、ＭＳ１０２は、遅延可能データをインフラストラクチャ１１０へ転送する命令、または遅延可能データをインフラストラクチャ１１０から転送する命令を受信する（２０４）。例えば、ＭＳ１０２のユーザは、電子メール（ｅｍａｉｌ）のメッセージを作成し、このメッセージに長い文書を添付し、続いてユーザ・インタフェース１０４のキーボードのキーを押下することによって、若しくはユーザ・インタフェースの表示スクリーンのアイコンまたはテキスト・メッセージを選択することによって、メッセージおよび文書を転送するようにＭＳに命令する。別の例として、ＭＳ１０２は写真を撮影し、この写真をメモリ・デバイス１０８に記憶し、続いて、やはりユーザ・インタフェース１０４の適切なキー、アイコン、またはテキスト・メッセージをユーザが選択することによって、写真を転送する命令を受信してもよい。さらに別の例として、ＭＳ１０２は、ダウンロードが中断されているとの通知をインフラストラクチャ１１０から受信してもよく、ファイルをインフラストラクチャからダウンロードする命令をＭＳのユーザから受信してもよい。インフラストラクチャ１１０は、ショート・メッセージ・サービス（ＳＭＳ）のメッセージを介して、またはページング・チャネル１３１を通じてＭＳへ伝達されたページング・メッセージを介して、ＭＳにダウンロード中断を通知してもよい。さらに別の例として、ＭＳ１０２が、ユーザの通勤時間（ｃｏｍｍｕｔｅ  ｔｉｍｅ）より前に日毎に電話に配信される、一定のニュースまたは他の情報サービスに加入していてもよい。
【００２２】
典型的には、通信システム１００などの通信システムは、データの転送の要求を受信すると即座に「通常」データの転送を開始する。対照的に、３ＧＰＰ２規格において規定される「バックグラウンド・クラス（Ｂａｃｋｇｒｏｕｎｄ  Ｃｌａｓｓ）」データなど、本明細書で「遅延可能」データと称するデータには、データの転送の開始までに、例えば、１時間程度の長さの遅れなど、有意な遅れが許容され得る。この遅れは、単に、より多くの遅れを許容するトラフィックを識別し、より低いデータ速度を、その識別したトラフィックに与えるのとは異なる。この遅れは、接続の、すなわちラジオ周波数（ＲＦ）リンクの、開始を実際に遅らせるものである。典型的なＣＤＭＡ通信システムでは、秒毎の接続（ＲＦリンク）を保持すると他のユーザのベアラ・データが約３キロビット／秒（Ｋｂｐｓ）ずつ排除されるので、接続の開始を遅らすことによって、通信システム１００がシステムの能力を増大させることが可能である。
【００２３】
命令の受信に応じて、ＭＳ１０２はエア・インタフェース１２８が輻輳しているか否かを判定し（２０６）、輻輳している場合、遅延可能データ、すなわち低い優先順位のデータの転送はブロックされる、すなわち認可されない。本発明の一実施態様では、ＭＳ１０２は、ＭＳが遅延可能データを送信することが可能であるかを判定するために、フォーワード・リンク１３０、好適にはシグナリング・チャネル１３２を監視することによって、エア・インタフェース１２８が過度に輻輳しているかを判定する。そのような実施態様では、ＲＡＮ１１２、好適にはトランシーバ１１４を介する制御装置１１６が、ＲＡＮによってサービス提供されているＭＳ１０２などのＭＳによって、遅延可能データが送信され得るか否かを通知するオーバーヘッド・メッセージ１４０をシグナリング・チャネル１３２を通じて送信する。本明細書では別に明示しない限り、本明細書でＭＳ１０２が実行する機能はＭＳ１０２のプロセッサ１０６が実行し、本明細書で制御装置１１６が実行する機能は制御装置１１６のプロセッサ１１８が実行する。
【００２４】
図３は、本発明の一実施態様による、ＲＡＮ１１２によるＭＳ１０２へのオーバーヘッド・メッセージ１４０の提供の論理フローチャート３００である。論理フローチャート３００が開始（３０２）されると、ＲＡＮ１１２、好適には制御装置１１６が、エア・インタフェース１２８は輻輳していると判定する（３０４）。例えば、ＲＡＮ１１２は、ＲＡＮがサービス提供するカバレッジ領域において、ＭＳに現在割当てられているトラフィック・チャネルの数に基づいて、エア・インタフェース１２８は輻輳していると判定してよい。別の例として、ＲＡＮ１１２は、ＲＡＮとの通信セッションに現在参加している各ＭＳから受信される信号で測定される、信号対雑音比（ＳＮＲ）、キャリア対干渉比（Ｃ／Ｉ）、受信信号強度、またはビット・エラー率（ＢＥＲ）など、信号品質メトリックに基づいて、エア・インタフェース１２８が輻輳している、よりＲＦコストの高い位置（電力消費）に存在する、またはその両方であると判定してもよい。さらに別の例では、ＲＡＮ１１２がサービス提供する各ＭＳが信号品質メトリックを測定し、続いて、そのＭＳがＲＡＮへ信号品質メトリックを送信してもよい。ＲＡＮ１１２、好適には制御装置１１６は、各測定信号品質メトリックを、１つ以上のメモリ・デバイス１２０に記憶された対応する信号品質メトリックの閾値と比較する。所定数の測定信号品質メトリックが、対応する信号品質メトリックの閾値と否定的に比較される場合、ＲＡＮ１１２、好適にはプロセッサ１１８は、エア・インタフェース１２８が輻輳していると判定してもよい。輻輳を構成する割当てチャネルまたは否定的な比較の量は、カバレッジ領域のサイズ、カバレッジ領域において利用可能なトラフィック・チャネルの数、およびカバレッジ領域におけるＭＳの位置などシステムの設計に依存し、システムの設計者によって設定された閾値に基づいて決定される場合もあり、本発明を決定するものではないため本明細書では明記しない。
【００２５】
ＲＡＮ１１２、好適には制御装置１１６は、エア・インタフェース１２８が輻輳していると判定すると、オーバーヘッド・メッセージ１４０を組立てる（３０６）。オーバーヘッド・メッセージ１４０には、遅延可能データの送信が認可されるか否かを通知する、遅延可能データ認可データ・フィールド１４２が含まれる。例えば、本発明の一実施態様では、オーバーヘッド・メッセージ１４０には、修正されたアクセス・パラメータ・メッセージまたは修正された拡張アクセス・パラメータ・メッセージが含まれてもよい。アクセス・パラメータ・メッセージは、当該技術分野において公知であり、ＴＩＡ／ＥＩＡ  ＩＳ−２０００．５−Ａ規格、セクション３．７．２．３．２．２および３．７．２．３．２．３３に詳細に説明されている。通信システム１００では、アクセス・パラメータ・メッセージまたは拡張アクセス・パラメータ・メッセージは、遅延可能データに関連するＡＣＣＴ（Ａｃｃｅｓｓ  Ｃｏｎｔｒｏｌ  Ｂａｓｅｄ  ｏｎ  Ｃａｌｌ  Ｔｙｐｅ）データ・フィールドなど、遅延可能データ認可データ・フィールド１４２を含むように修正される。
【００２６】
続いて、ＲＡＮ１１２、好適には制御装置１１６は、遅延可能データの送信が認可されるか否かを通知する値を遅延可能データ認可データ・フィールド１４２に埋込む（３０８）。好適には、通信システム１００は、ＳＯ値０ｘ８０１Ｂに対応するＡＣＣＴデータ・フィールドなどの遅延可能データ認可データ・フィールド１４２に埋込まれたビットが、遅延可能データ、すなわちＳＯ値０ｘ８０１ＢのデータをＲＡＮ１１２へ送信することが、ＭＳに認可されているか否かをＭＳ１０２に通知するように、ＳＯ値０ｘ８０１Ｂなど、ユニークなサービス・オプション（ＳＯ）値を遅延可能データ・サービスに対して割当てる。例えば、埋込み値「０」は遅延可能データの送信が認可されることを通知し、埋込み値「１」は遅延可能データの送信が認可されない、すなわちブロック（ｂｌｏｃｋ）されることを通知してもよい。しかしながら、本発明の精神および範囲から逸脱することなく、本明細書において、任意の未割当てのサービス・オプション値を遅延可能データと関連して用いてよいことは、当業者には理解されるであろう。
【００２７】
続いて、ＲＡＮ１１２、好適には制御装置１１６が、トランシーバ１１４およびエア・インタフェース１２８を介してオーバーヘッド・メッセージ１４０をＭＳ１０２へ伝達し（３１０）、論理フロー３００は終了する（３１２）。ＲＡＮ１１２は、遅延可能データ認可データ・フィールド１４２を用いることによって、ＲＡＮがサービス提供しているＭＳによる遅延可能データの転送をブロックすることが可能である。オーバーヘッド・メッセージ１４０の遅延可能データ認可データ・フィールド１４２を参照することによって、続いてＭＳ１０２は、遅延可能データの転送が認可されない、すなわちブロックされるという結果から、エア・インタフェース１２８が輻輳しているか否かを判定することが可能である。
【００２８】
再び図２を参照すると、本発明の別の実施態様では、工程２０６にて、オーバーヘッド・メッセージを利用する代わりに、エア・インタフェース１２８が輻輳しており遅延可能データの転送がブロックされているか、否かをＭＳ１０２が自己判定してもよい。エア・インタフェース１２８の輻輳レベルの自己判定では、ＭＳ１０２はエア・インタフェースに対応する信号品質メトリックを測定する。例えば、ＭＳ１０２はパイロット信号または制御信号など、フォーワード・リンク１３０を介してＲＡＮ１１２からＭＳが受信した信号において、信号対雑音比（ＳＮＲ）、キャリア対干渉比（Ｃ／Ｉ）、受信信号強度、またはビット・エラー率（ＢＥＲ）のうちの任意の１つ以上を測定することによって、信号品質メトリックを測定してもよい。多くの信号品質メトリックが当該技術分野では公知であり、本発明の精神および範囲から逸脱することなく、任意のそうした信号品質メトリックが本明細書で用いられてよいことが、当業者には理解されるであろう。
【００２９】
続いて、ＭＳ１０２は、測定したＳＮＲ、Ｃ／Ｉ、受信信号強度、またはＢＥＲを、ＭＳのメモリ・デバイス１０８に記憶されている、対応するＳＮＲ、Ｃ／Ｉ、受信信号強度、またはＢＥＲの閾値など、対応する信号品質の閾値と比較する。測定した信号品質メトリックが対応する閾値と否定的に比較される場合、ＭＳは、エア・インタフェース１２８が輻輳しており遅延可能データの転送がブロックされていると仮定してもよい。測定した信号品質メトリックが対応する閾値と肯定的に比較される場合、ＭＳは、エア・インタフェース１２８が輻輳しておらずＭＳがエア・インタフェースを通じて遅延可能データを送信し得ると仮定してもよい。
【００３０】
例えば、遅延可能データがブロックされていない場合、または測定した信号品質メトリックが対応する閾値と肯定的に比較される場合など、エア・インタフェース１２８は輻輳していないとＭＳ１０２が判定（２０６）する場合、ＭＳ１０２は、データ呼の開始の要求を生成し（２０８）インフラストラクチャ１１０へ伝達する（２１０）。好適には、この要求は発呼メッセージ（ｃａｌｌ  ｏｒｉｇｉｎａｔｉｏｎ  ｍｅｓｓａｇｅ）、好適には、ＭＳ１０２がデータ呼に関連するサービス・オプション（ＳＯ）値を埋込むためのＳＯデータ・フィールドを含む、レイヤ３の発呼メッセージから成る。本発明の一実施態様では、ＭＳ１０２は、従来的なデータ呼に対応するＳＯ値、すなわち「０ｘ００２１」をＳＯデータ・フィールドに埋込む。本発明の別の実施態様では、ＭＳ１０２は、値０ｘ８０１Ｂなど、遅延可能データ呼に対応するＳＯ値をＳＯデータ・フィールドに埋込む。続いてＭＳ１０２は、リバース・リンク・アクセス・チャネルすなわちアクセス・チャネル１３６を介して、発呼メッセージをインフラストラクチャ１０４へ伝達する。ＭＳがインフラストラクチャとの接続を確立させるために用いる発呼メッセージは、当該技術分野において公知であり、ＴＩＡ／ＥＩＡ  ＩＳ−２０００．５−Ａ規格、セクション２．７．１．３．２．４および２．７．１．３．２．５に詳細に説明されている。
【００３１】
データ呼の開始の要求を受信すると（２１２）、インフラストラクチャ１１０、好適にはＲＡＮ１１２の制御装置１１６は、公知の呼設定手続きに従って、データ呼の設定を交渉（ｎｅｇｏｔｉａｔｅ）し（２１４）、インフラストラクチャ１１０からＭＳ１０２へデータが転送されている場合はフォーワード・リンク・トラフィック・チャネル１３３を通じるＲＦリンクを含み、ＭＳ１０２からインフラストラクチャ１１０へデータが転送されている場合はリバース・リンク・トラフィック・チャネル１３８を通じるＲＦリンクを含む、ＭＳ１０２とのデータ接続を確立させる。続いて、遅延可能データは、確立したデータ接続を通じて、ＭＳ１０２によってインフラストラクチャ１１０へ、またはインフラストラクチャ１１０によってＭＳ１０２へ転送され（２１６）、論理フローは終了する（２２４）。
【００３２】
本発明の別の実施態様では、エア・インタフェース１２８の負荷を最小化するために、ＭＳ１０２およびＲＡＮ１１２はさらに、確立したＲＦリンクを遅延可能データの伝達後ほぼ即座に終止（２１８）させても、すなわち切断（ｔｅａｒ  ｄｏｗｎ）してもよい。そのような実施態様では、ＭＳ１０２、ＲＡＮ１１２、またはその両方は、プロセッサ１０６および制御装置１１６にそれぞれ結合されている、活動停止（ｉｎａｃｔｉｖｉｔｙ）タイマ１０９，１２２をそれぞれ含んでもよい。ＭＳ１０２またはＲＡＮ１１２が遅延可能データを伝達すると、データの伝達体（ｃｏｎｖｅｙｏｒ）１０２，１１２は、それぞれ、活動停止タイマ１０９，１２２を開始させる。遅延可能データの転送完了後の短い所定の活動停止期間、すなわち、活動停止タイマ１０９，１２２にそれぞれ関連する伝達体のプロセッサ１０６，１１８が決定した、データの伝達体が任意のさらなるデータを受信または伝達しない期間が満了すると、伝達体は確立したＲＦリンクの終止、すなわち切断を開始する。
【００３３】
遅延可能データがブロックされている場合、または測定した信号品質メトリックが対応する閾値と否定的に比較される場合など、エア・インタフェース１２８は輻輳しているとＭＳ１０２が判定（２０６）する場合、ＭＳはデータの転送を遅らせ、すなわち遅延させ（２２０）、エア・インタフェース１２８の監視（２２２）を続行する。監視を続行して、もはやエア・インタフェース１２８は輻輳しておらず、これに対応して、遅延可能データの転送は認可されるとＭＳ１０２が判定（２０６）する場合、ＭＳはデータ呼の開始の要求を生成し（２０８）インフラストラクチャ１００へ伝達する（２１０）。要求を受信すると（２１２）、インフラストラクチャ１１０、好適にはＲＡＮ１１２は、公知の呼設定手続手続きに従って、データ呼の設定を交渉し（２１４）、ＭＳ１０２とのデータ接続を確立させる。続いて、遅延可能データは、確立したデータ接続を通じて、ＭＳ１０２によってインフラストラクチャ１１０へ、またはインフラストラクチャ１１０によってＭＳ１０２へ転送され（２１６）、論理フローは終了する（２２４）。
【００３４】
本発明の一実施態様では、ＭＳ１０２がシグナリング・チャネル１３２でオーバーヘッド・メッセージ１４０を監視し、エア・インタフェース１２８は輻輳しているとＭＳが判定（２０６）する場合、ＭＳは、シグナリング・チャネル１３２でＭＳ宛の後続のオーバーヘッド・メッセージ１４０の監視を続行する。後続のオーバーヘッド・メッセージの各々に基づいて、ＭＳ１０２は遅延可能データのブロックが続行されているか否かを判定する。バッテリ電力を節約するために、ＭＳは、遅延可能データをブロックするというオーバヘッド・メッセージ１４０の受信および解釈の後に、メッセージの受信、エア・インタフェース１２８の監視、またはその両方を一時停止（ｓｕｓｐｅｎｄ）し（例えば、スリープ（ｓｌｅｅｐ）になり）、その後で、後続のオーバヘッド・メッセージ１４０を受信および解釈するために、メッセージの受信、エア・インタフェース１２８の監視、またはその両方を再開（例えば、復帰（ｗａｋｅ  ｕｐ））してもよい。しかしながら本発明では、ＭＳがメッセージの間に受信、監視、またはその両方を一時停止することを必要とせず、または、遅延可能データがブロックされなくなるまでＭＳが各々のメッセージを受信することを必要としない。
【００３５】
本発明の別の実施態様では、ＭＳ１０２は信号品質メトリックに基づいてエア・インタフェース１２８が輻輳していると判定し、エア・インタフェース１２８が輻輳しているとＭＳが判定（２０６）する場合、ＭＳは、ＲＡＮ１１２からＭＳが受信した信号に関する信号品質メトリックの測定を続行する。続いて、ＭＳ１０２は、測定した信号品質メトリックの各々を対応する信号品質の閾値と比較する。測定した信号品質メトリックが、対応する閾値と否定的に比較される限り、ＭＳ１０２は、エア・インタフェース１２８が輻輳しており遅延可能データの転送がブロックされているという仮定を続行してよい。オーバーヘッド・メッセージ１４０に基づく輻輳の判定と同様に、ＭＳは、バッテリ電力を節約するために、エア・インタフェース１２８が輻輳を続行しているという信号を受信し、そのような受信信号に基づいて判定した後に、メッセージの受信、エア・インタフェース１２８の監視、またはその両方を一時停止してよい。その後でＭＳ１０２が、後に続く信号を受信および解釈するために、メッセージの受信、エア・インタフェース１２８の監視、またはその両方を再開してもよい。
【００３６】
エア・インタフェース１２８が輻輳している場合、「遅延可能」データの転送を遅延させることによって、ＭＳ１０２は、帯域利用率が高い、すなわちＲＦコストが高い高負荷またはピーク負荷期間から、帯域利用率が低い低負荷期間へと「遅延可能」データの転送を遅延させる。高負荷またはピーク負荷期間の「遅延可能」データの転送を遅延させることによって、ピーク負荷は低減され、オフ・ピークの帯域利用率が改善され得る。本発明の一実施態様では、ＭＳ１０２は、ＭＳがインフラストラクチャ１１０から受信した、遅延可能データの転送がブロックされているか否かを通知するオーバーヘッド・メッセージ１４０に基づいて、「遅延可能」データの転送を遅延させるか否かを判定する。本発明の別の実施態様では、ＭＳ１０２は、好適には受信信号の信号品質メトリックを測定して、測定した信号品質メトリックを対応する信号品質メトリックの閾値と比較することによるエア・インタフェース１２８の輻輳の自己判定に基づいて、「遅延可能」データの転送を遅延させるか否かを判定する。ＭＳが良好でないＲＦの環境を検出する場合には、転送開始のＲＦコストは、より良好なＲＦの位置にＭＳが存在する場合より相当高い。例えば、ＭＳ１０２が、所与のトランシーバ１１４に対するインフラストラクチャのタワーの近くに存在する場合、必要なＲＦコストまたは電力はより小さい。さらに、ＭＳがトランシーバ１１４に関連する最も近いインフラストラクチャのタワーから所与の距離にあり、かつ帯域利用率が増大する場合、データ転送を即座に開始させると電力およびＲＦコストが増大する。「遅延可能」データの転送の遅延が決定されると、輻輳が軽減された場合にＭＳが「遅延可能」データを転送し得るように、ＭＳ１０２はエア・インタフェース１２８の監視を続行する。バッテリ電力を節約するために、ＭＳ１０２は、エア・インタフェース１２８の監視またはメッセージの受信を連続的に行う代わりに、断続的に行ってもよい。
【００３７】
本発明のさらに別の実施態様では、データの転送を遅延させる代わりに、エア・インタフェース１２８は輻輳しており遅延可能データの転送がブロックされているとＭＳ１０２が判定する場合、ＭＳは、データ呼を遅延させる代わりに、より高い優先順位のデータとしてデータを転送すると決定してよい。例えば、ＭＳ１０２は、他の場合にはＳＯ値０ｘ８０１Ｂのデータとして転送され得る遅延可能データを、ＳＯ値０ｘ００２１のデータとして転送すると決定してもよい。ここで図４を参照すると、本発明の別の実施態様による、通信システム１００による遅延可能データ・サービスの提供を示す論理フローチャート４００が提供されている。論理フローチャート２００と同様に、論理フローチャート４００が開始（４０２）されると、ＭＳ１０２は、遅延可能データをインフラストラクチャ１１０へ転送する命令、または遅延可能データをインフラストラクチャ１１０から転送する命令を受信する（４０４）。命令の受信に応じて、ＭＳ１０２はエア・インタフェース１２８が輻輳しているか否かを判定する（４０６）。
【００３８】
例えば、遅延可能データの転送がブロックされていない場合、または測定した信号品質メトリックが対応する閾値と肯定的に比較される場合など、エア・インタフェース１２８は輻輳していないとＭＳ１０２が判定（４０６）する場合、ＭＳ１０２は、遅延可能データ呼の開始の要求を生成し（４０８）インフラストラクチャ１１０へ伝達する（４１０）。好適には、この要求は発呼メッセージ、好適には、遅延可能データが要求されていることを通知するサービス・オプション（ＳＯ）値０ｘ８０１ＢなどのＳＯ値をＭＳ１０２が埋込むためのＳＯデータ・フィールドを含む、レイヤ３の発呼メッセージから成る。遅延可能データ呼の開始の要求を受信すると（４１２）、制御装置１１６は遅延可能データ呼の設定をＭＳ１０２と交渉し（４１４）、インフラストラクチャ１１０からＭＳ１０２へデータが伝達されている場合はフォーワード・リンク・トラフィック・チャネル１３３を通じるＲＦリンクを含み、ＭＳ１０２からインフラストラクチャ１１０へデータが伝達されている場合はリバース・リンク・トラフィック・チャネル１３８を通じるＲＦリンクを含む、ＭＳ１０２とのデータ接続を確立させる。この呼は、遅延可能データ呼に関連する請求レートで、ＭＳ１０２に関連する顧客へ請求される。続いて、遅延可能データは、確立した遅延可能データ接続を通じて、ＭＳ１０２によってインフラストラクチャ１１０へ、またはインフラストラクチャ１１０によってＭＳ１０２へ転送され（４１６）、論理フローは終了する（４３６）。
【００３９】
論理フローチャート２００と同様に、本発明の別の実施態様では、エア・インタフェース１２８の負荷を最小化するために、ＭＳ１０２およびＲＡＮ１１２はさらに、確立したＲＦリンクを遅延可能データの伝達後ほぼ即座に終止（４１８）させてもよい。そのような実施態様では、ＭＳ１０２またはＲＡＮ１１２が遅延可能データの転送を完了させると、データの伝達体１０２、１１２は、それぞれ、活動停止タイマ１０９、１２２を開始させる。遅延可能データの転送完了後の短い所定の活動停止期間、すなわち、活動停止タイマ１０９，１２２にそれぞれ関連する伝達体のプロセッサ１０６，１１８が決定した、データの伝達体が任意のさらなるデータを受信または伝達しない期間が満了すると、伝達体は確立したＲＦリンクの終止、すなわち切断を開始する。
【００４０】
論理フローチャート２００とは異なり、論理フローチャート４００では、例えば、遅延可能データがブロックされている場合、または測定した信号品質メトリックが対応する閾値と否定的に比較される場合など、エア・インタフェース１２８は輻輳しているとＭＳ１０２が判定（４０６）する場合、ＭＳはデータの転送を遅延させる代わりに、遅延可能データの少なくとも一部分を、例えば、転送が認可されるＳＯ値０ｘ００２１のデータなど、より高い優先順位のデータとして転送すると決定（４２０）してよい。より高い優先順位のデータとして全ての遅延可能データを転送するのではなく、遅延可能データの転送を輻輳期間から低負荷期間へと遅延させることをＭＳ１０２のユーザに奨励するために、通信システム１００では、遅延可能データをより低い優先順位のデータとして転送する経済的な動機をＭＳに提供してもよい。例えば、通信システム１００には、より高い請求レートがより高い優先順位のデータに関連するような請求システムが含まれてよい。
【００４１】
通信システム１００は、ＭＳのユーザが低負荷期間に、より高い優先順位のデータをより低い優先順位の遅延可能データとして転送することを阻止するような制限を行ってもよい。例えば、図５は、本発明の一実施態様による、遅延可能データの転送に対する制限の通信システム１００による提供を示す、論理フローチャート５００である。論理フローチャート５００で示すように、ＭＳのメモリ・デバイス１０８に記憶した情報に基づいて、ＭＳ１０２がデータ転送の制限を自身に課し（ｓｅｌｆ−ｉｍｐｏｓｅ）てもよいが、通信システム１００、好適にはインフラストラクチャ１１０の制御装置１１６が、遅延可能データなど、より低い優先順位のデータの転送を複数の指定期間のうちの１つの指定期間に制限してもよい（５０４）。また、通信システム１００、好適にはインフラストラクチャ１１０の制御装置１１６は、複数の指定期間に加え他の期間にも、より高い優先順位のデータの転送を許可する（５０４）。例えば、通信システム１００は、より高い優先順位のデータの転送に対して全く時間の制限を課さなくてもよい。別の例として、通信システム１００は、ＭＳ１０２の遅延可能データの転送を１時間のうち指定の時間のみに制限してもよく、この時間は、ＭＳおよびインフラストラクチャ１１０の両方に知らされており、メモリ・デバイス１０８、１２０にそれぞれ保持される（５０２）。続いてインフラストラクチャ１１０、好適には制御装置１１６のプロセッサ１１８は、指定時間以外の時間には遅延可能データを転送する要求を拒否することも可能である。
【００４２】
ＭＳ１０２などのＭＳが、より低い優先順位のデータを指定期間以外の時間に転送すると決定する場合、ＭＳはデータを転送し得る前に少なくとも次の指定時間まで待機する必要がある、すなわちＭＳ１０２は、より低い優先順位のデータの転送を次の指定期間まで遅延させる必要がある（５０８）。遅延可能データの転送を１日の間の指定期間に制限することの利点は、即座の転送が望ましいオフ・ピークのトラフィックでは、依然としてサービスに対してより高いコストを支払う必要があることと、真に遅延可能なデータのみが、そうしたデータの転送に関連する、より低い請求レートを得ることである。
【００４３】
そのような時間制限の実施においては通信システム１００によって、特定のＭＳに関連して指定された時間に開始される転送に対して、より低いレートを与えることのみが、請求システム１５０に可能とされてもよい。すなわち、ＭＳがより低い優先順位の遅延可能データを転送し得る指定時間を、ＭＳに割当ててもよい。この指定時間は、ＲＡＮ１１２の制御装置１１６に含まれる、または動作可能に結合されるＭＳデータベース１２４に記憶されたＭＳのプロファイルに、ＩＭＳＩなどのＭＳの識別子に関連して記憶される。請求スキームを実装し、１日のうちの所定の時間の間に転送が起きる場合にのみ、より低い、遅延可能なデータのレートでＭＳのユーザに課金することによって、通信システム１００では、ＳＯ値０ｘ８０１Ｂのデータのサービス・オプションを実装することなく、遅延可能な呼に対してのみ、より低いレートで請求することが可能である。
【００４４】
ＭＳが、ＳＯ値０ｘ８０１Ｂのデータなど、遅延可能データを、ＳＯ値０ｘ００２１のデータなど、より高い優先順位のデータとして転送すると決定する場合（４２０）、ＭＳ１０２は、例えば、ＳＯ値０ｘ００２１のデータ呼など、より高い優先順位のデータ呼の開始の要求を生成し（４２２）インフラストラクチャ１００へ伝達する（４２４）。好適には、この要求は発呼メッセージ、好適には、より高い優先順位のデータ呼が要求されていることを通知する、例えば、ＳＯ値０ｘ００２１などのサービス・オプション（ＳＯ）値をＭＳ１０２が埋込むためのＳＯデータ・フィールドを含む、レイヤ３の発呼メッセージから成る。より高い優先順位のデータ呼の開始の要求を受信すると（４２６）、ＲＡＮ１１２は、より高い優先順位のデータ呼の設定を公知の呼設定手続きに従ってＭＳ１０２と交渉し（４２８）、インフラストラクチャ１１０からＭＳ１０２へデータが伝達されている場合はフォーワード・リンク・トラフィック・チャネル１３３を通じるＲＦリンクを含み、ＭＳ１０２からインフラストラクチャ１１０へデータが伝達されている場合はリバース・リンク・トラフィック・チャネル１３８を通じるＲＦリンクを含む、より高い優先順位のデータ接続を確立させる。続いて、遅延可能データの少なくとも一部分は、より高い優先順位のデータ接続を通じて、ＭＳ１０２によってインフラストラクチャ１１０へ、またはインフラストラクチャ１１０によってＭＳ１０２へ転送され（４３０）、通信システム１００によって、この遅延可能データの少なくとも一部分に対する、より高い優先順位に関連する、より高い請求レートで、ＭＳに関連する顧客に課金する（４３４）。続いて論理フロー４００は終了する（４３６）。ここでも、本発明の別の実施態様では、エア・インタフェース１２８の負荷を最小化するために、ＭＳ１０２およびＲＡＮ１１２はさらに、遅延可能データの転送の完了後の短い所定の活動停止期間が満了すると、確立したＲＦリンクを終止させる（４３２）。
【００４５】
例えば、エア・インタフェース１２８が輻輳しており、遅延可能データの転送が認可されないとＭＳ１０２が判定する（４０６）場合を考える。さらに、結果として、送信が認可されるデータを、より高い優先順位のデータとして送信するとＭＳ１０２が決定する場合を考える。ＭＳ１０２がデータの転送のためにインフラストラクチャ１１０とのデータ接続を設定する場合、ＭＳは、この接続が遅延可能データ接続ではなく、より高い優先順位のデータ接続であることをインフラストラクチャに通知する。例えば、ＭＳ１０２が非輻輳期間に遅延可能データ接続を設定する場合、ＭＳは、ＳＯ値０ｘ８０１Ｂを発呼メッセージに埋込んでもよく、ＭＳ１０２が輻輳期間に、より高い優先順位のデータとして遅延可能データ呼を開始すると決定する場合、ＭＳはＳＯ値０ｘ００２１を発呼メッセージに埋込んでもよい。発呼メッセージに埋込まれたＳＯ値に基づいて、続いてインフラストラクチャ１１０が請求システム１５０に、データの優先順位または対応する請求レートを通知する。続いて、請求システム１５０によって、顧客に提供されるデータ・サービスの優先順位において、ＭＳに関連する顧客に適切に課金することが可能である。
【００４６】
遅延可能データを低負荷期間に転送することをＭＳのユーザに奨励するために、通信システム１００は、種々の基準のうちの１つ以上に基づいて、遅延可能データ呼と、より高い優先順位のデータ呼との間に、価格設定差（ｐｒｉｃｉｎｇ  ｄｉｆｆｅｒｅｎｔｉａｔｉｏｎ）を設けてもよい。例えば、より高い優先順位のデータとして遅延可能データを転送するとＭＳのユーザが決定する場合、ＭＳ１０２に関連する顧客に、アドホックな（ａｄ  ｈｏｃ）基準で、より高い「通常」データの請求レートで請求してもよい。そうした一実施態様では、確立したデータ接続の種類、すなわち、接続がＳＯ値０ｘ８０１Ｂの接続など「遅延可能」データ接続であるか否か、またはＳＯ値０ｘ００２１の接続など「通常」データ接続であるか否か、に基づいて適切に請求レートが決定されてもよい。別のそうした実施態様では、転送されているデータに要求されるサービス品質（ＱｏＳ）に基づいて適切な請求レートが決定されてもよい。伝達されているデータが遅延可能データである場合、ＭＳ１０２は、より高いＱｏＳに関連する請求レートよりも低い請求レートに対応する、より低いＱｏＳを要求してもよい。以下でより詳細に説明するように、ＭＳ１０２は、データ接続を設定する場合、接続を遅延可能データ接続として識別するためにＳＯ値を用いることに加えて、またはその代わりに、より低いＱｏＳを要求してもよい。これに代えて、ＭＳ１０２は、ＭＳに割当てられているリバース・リンク・トラフィック・チャネル１３８を通じて、遅延可能データ呼の間にＲＡＮ１１２へＱｏＳメッセージを伝達してもよい。インフラストラクチャ１１０がＱｏＳメッセージを受信する場合、このインフラストラクチャによって、対応する請求情報が請求システム１５０に提供される。やはり以下でより詳細に説明するように、ＲＡＮ１１２は、データ接続を設定する場合、接続を遅延可能データ接続として識別するためにＳＯ値を用いることに加えて、またはその代わりに、より低いＱｏＳを要求してもよい。これに代えて、ＲＡＮ１１２は、フォーワード・リンク１３０を通じて、遅延可能データ呼の間に、ＭＳ１０２へＱｏＳメッセージを伝達してもよい。
【００４７】
別の例として、通信システム１００は、複数の遅延可能データの加入パッケージ（ｓｕｂｓｃｒｉｐｔｉｏｎ  ｐａｃｋａｇｅ）を提供することによって、価格設定差を設けてもよい。複数の加入パッケージの各パッケージは異なる価格に関連しており、システム１００が輻輳している場合、ＭＳ１０２などのＭＳが異なる量の遅延可能データを転送することを許可する。例えば、第１の、最も高価なパッケージでは、任意のレベルのシステムの輻輳にて、ＭＳが全ての遅延可能データを転送することを許可してもよい。第２の、それより高価でないパッケージでは、システム１００が輻輳している場合、ＭＳがＭＳの遅延可能データのうちの７５％のみを転送することを許可してもよい。また、第３の、それよりさらに高価でないパッケージでは、システム１００が輻輳している場合、ＭＳがＭＳの遅延可能データのうちの２５％のみを転送することを許可してもよい。ユーザの加入パッケージに関する情報がＭＳに提供され、ＭＳのメモリ・デバイス１０８に記憶されてもよく、続いて、エア・インタフェース１２８が輻輳しているとＭＳが判定する場合、メモリ・デバイス１０８を参照することによって、転送され得る遅延可能データの量をＭＳのプロセッサ１０６が判定してもよい。
【００４８】
ＭＳ１０２のユーザなど、システムのユーザに経済的な動機を提供し、エア・インタフェース１２８が輻輳している場合に「遅延可能」データの転送を遅延させることによって、通信システム１００は、エア・インタフェース１２８が輻輳している場合、より低い優先順位のデータを転送するか否かの判定を、各ユーザに委ねてもよい。ユーザは、データの転送を遅延させると決定してもよく、より高い優先順位、かつそれに対応するより高価格のデータとしてデータを転送すると決定してもよい。好適には、ＭＳがデータ呼を設定する場合、ＭＳ１０２は、以下でより詳細に説明するように、伝達されたＳＯ値またはＱｏＳパラメータで示され得る優先順位によって、そのデータ呼がより低い優先順位のデータ呼であるか、またはより高い優先順位のデータ呼であるかを示す。適切に動機が決定される場合、システム１００は高負荷またはピーク負荷期間にも依然として輻輳を低減させ、帯域利用率を改善し、システムの収益率を増大させることが可能である。
【００４９】
システムの輻輳が軽減された時にシステム１００が遅延可能データで過負荷となることを回避するために、通信システム１００はさらに遅延可能データ呼の優先順位付けを提供してもよい。遅延可能データ呼の優先順位付けの一実施態様では、複数の遅延可能データの加入パッケージの各パッケージは、遅延可能データの優先順位付けを提供してもよい、すなわち、システムの輻輳が軽減された時にＭＳが遅延可能データの転送を遅延させる必要がある時間の量を提供してもよい。例えば、パッケージの価格が高いほど、パッケージの遅延可能データ優先順位付けは高くなる、すなわち、遅延期間はより短くなる。遅延可能データの優先順位付けの別の実施態様では、システムの輻輳が軽減されると、システムの輻輳期間に遅延可能データの転送を遅延させる必要のあった各ＭＳは、そのＭＳがデータの転送を待機していた時間の量に反比例する期間だけ、遅延可能データの転送を遅延させてもよい。すなわち、ＭＳが遅延可能データの転送を遅らせる必要のあった時間が長いほど、システム輻輳の軽減後にＭＳが遅延可能データを転送し得るまでの遅延期間が短くなる。遅延期間に関するアルゴリズムがＭＳのメモリ・デバイス１０８に記憶されてもよく、遅延期間を決定する際にＭＳのプロセッサ１０６によって参照されてもよい。
【００５０】
本発明のさらに別の実施態様では、通信システム１００は、「遅延可能データ」のデータ・フィールドの代わりにサービス品質（ＱｏＳ）測定を用いて、遅延可能データ呼を設定および処理してもよい。図６Ａ，６Ｂには、本発明の別の実施態様による、通信システム１００が遅延可能データ呼を処理するプロセスの論理フローチャート６００を示す。論理フローチャート６００が開始（６０２）されると、ＭＳ１０２は、遅延可能データをインフラストラクチャ１１０へ転送する命令、または遅延可能データをインフラストラクチャ１１０から転送する命令を受信する（６０４）。命令の受信に応じて、ＭＳ１０２はデータ呼の設定の要求およびＱｏＳパラメータをＲＡＮ１１２へ伝達する（６０６）。ＱｏＳパラメータは、この要求に含まれてもよく、この要求とは別に伝達されてもよい。
【００５１】
ＭＳ１０２が遅延可能データ呼を設定している場合、ＭＳは、非保証（ｎｏｎ−ａｓｓｕｒｅｄ）モードの呼など、低い優先順位のデータ・サービスに対応する、第１の組のＱｏＳパラメータをＲＡＮ１１２へ伝達する。ＱｏＳパラメータは、発呼メッセージなど、呼の設定の要求に含まれてもよく、サービス交渉メッセージなど、サービスの交渉の一部分としてＭＳとＲＡＮ１１２との間で交換される、後続のメッセージに含まれてもよい。好適には、ＱｏＳパラメータは、要求または後続のメッセージにおいて、ＱｏＳのバイト・ブロック（ＢＬＯＢ）に含まれる。ＱｏＳのＢＬＯＢは当該技術分野において公知であり、ＩＳ−２０００およびＩＳ−７０７規格に詳細に説明されている。ＱｏＳパラメータに基づいて、ＲＡＮ１１２、好適には制御装置１１６は、要求が緊急のデータ転送ではなく、遅延可能データ呼など、低い優先順位のデータ・サービスに関連すると判定する（６０８）。ＲＡＮ１１２はさらに、エア・インタフェース１２８が輻輳しているか否かを判定する（６１０）。
【００５２】
エア・インタフェース１２８が輻輳していない場合、ＲＡＮ１１２は公知の呼設定手続きに従ってデータ呼を設定し（６１２）、インフラストラクチャ１１０からＭＳ１０２へデータが伝達されている場合はフォーワード・リンク・トラフィック・チャネル１３３を通じるＲＦリンクを含み、ＭＳ１０２からインフラストラクチャ１１０へデータが伝達されている場合はリバース・リンク・トラフィック・チャネル１３８を通じるＲＦリンクを含む、ＭＳ１０２とのデータ接続を確立させる。続いて、遅延可能データは、確立したデータ接続を通じて、ＭＳ１０２によってＲＡＮ１１２へ、またはＲＡＮ１１２によってＭＳ１０２へ転送される（６１４）。ＲＡＮ１１２はさらに、ＭＳ１０２に提供されているサービスの優先順位を、サポート・ノード１２６を介して請求システム１５０へ通知する（６１６）。例えば、ＲＡＮ１１２が単にＱｏＳのＢＬＯＢの少なくとも一部分を請求システム１５０に送り、それに基づいて、提供されているサービスは低い優先順位のサービスであると請求システムが判定してもよい。続いて、請求システム１５０は、低い優先順位のデータ・サービスに関連する、より低い請求レートで、ＭＳ１０２に関連する顧客に課金することが可能である（６１８）。続いて論理フロー６００は終了する（６４６）。また、ＭＳ１０２またはＲＡＮ１１２が活動停止タイマ１０９、１２２をそれぞれ参照することによって、データを受信または伝達することなく短い所定の活動停止期間が、満了すると判定する場合、さらにＭＳまたはＲＡＮは確立したＲＦリンクをほぼ即座に、すなわち遅延可能データの転送完了後の短い活動停止時間の満了後に、終止させてもよい（６２０）。
【００５３】
エア・インタフェース１２８が輻輳している場合、ＲＡＮ１１２はＱｏＳパラメータに基づいてＭＳ１０２のデータ呼の設定の要求を拒否する（６２１）。要求の拒否が通知されると、ＭＳ１０２はデータの転送を遂行する試みを遅延または終止させてもよく、より高い優先順位のデータとしてデータの転送を試みてもよい。本発明の一実施態様では、要求の拒否が通知されると、ユーザ・インタフェース１０４の表示スクリーンのメッセージを介して、ＭＳがＭＳのユーザに要求の拒否を通知し（６２２）、論理フローは終了する（６４６）。本発明の別の実施態様では、要求が拒否されると、予め決定された期間または無作為に決定される期間、ＭＳ１０２が遅延可能データの転送の試みを遅延させ（６２６）、続いて、工程５０６へ戻り、ＭＳは再び低い優先順位のデータ呼の開始の要求をＲＡＮ１１２へ伝達する。所定の数の要求失敗（ｕｎｓｕｃｃｅｓｓｆｕｌ  ｒｅｑｕｅｓｔ）の伝達後（６２４）、ＭＳ１０２は、低い優先順位のデータ接続を確立させることが不可能であると仮定し、接続を確立させる試みを終止させてもよい（６２８）。続いて、ユーザ・インタフェース１０４の表示スクリーンのメッセージを介して、ＭＳ１０２がＭＳのユーザに要求の拒否を通知してもよい（６３０）。
【００５４】
本発明のさらに別の実施態様では、所定の数の要求失敗の伝達後（６２４）、データを転送する試みを終止させる代わりに、より高い優先順位のより高価なデータとして遅延可能データを転送することをＭＳ１０２が決定してもよい。ＭＳ１０２は、データ呼の設定の要求を生成してＲＡＮ１１２へ伝達し（６３２）、さらに保証（ａｓｓｕｒｅｄ）モードの呼など、より高い優先順位のデータ・サービスに対応する、第２の組のＱｏＳパラメータをＲＡＮへ伝達する（６３４）。第２の組のＱｏＳパラメータに基づいて、続いてＲＡＮ１１２およびＭＳ１０２は、より高い優先順位のデータ呼、すなわち、より高いＱｏＳのデータ呼の設定を交渉し（６３６）、リバース・リンクまたはフォーワード・リンクのＲＦリンク１３３，１３８を含む、より高い優先順位、すなわち、より高いＱｏＳのデータ接続を確立させる。続いてＭＳ１０２は、より高い優先順位のデータ接続を通じて遅延可能データを転送する（６３８）。
【００５５】
ＲＡＮ１１２は、より高い優先順位のサービス、すなわち、より高いＱｏＳのサービスがＭＳ１０２に提供されていることを、サポート・ノード１２６を介して請求システム１５０に通知する（６４０）。続いて、請求システム１５０は、より低い優先順位サービスに関連する請求レートよりも高い、より高い優先順位のサービスに関連する請求レートで、ＭＳ１０２に関連する顧客に課金するしてもよい（６４２）。また、ＭＳ１０２またはＲＡＮ１１２が活動停止タイマ１０９、１２２をそれぞれ参照することによって、短い所定の活動停止期間が遅延可能データの転送の完了後に満了する、すなわち、データを受信または伝達することなく満了すると判定する場合、さらにＭＳおよびＲＡＮが、確立したＲＦリンクの終止を遅延可能データの転送後ほぼ即座に開始してもよい（６４４）。続いて論理フロー６００は終了する（６４６）。
【００５６】
ＱｏＳパラメータを用いてデータ呼の優先順位および対応する請求レートを確立させることによって、通信システム１００は、エア・インタフェース１２８の輻輳期間に特定の呼をブロックするか否かの決定をＲＡＮ１１２に許可し、「遅延可能」データのＳＯ値を必要とすることなく、ブロックされた遅延可能データをより高い優先順位データとして転送させることをＭＳ１０２に許可する。また、やはり「遅延可能」データのＳＯ値を必要とすることなくＭＳ１０２が転送したデータに対する適切な請求レートを決定するために、通信システム１００がＱｏＳパラメータを用いることも可能である。
【００５７】
本発明のさらに別の実施態様では、呼の開始に続いてエア・インタフェース１２８が輻輳していると判定されると、通信システム１００は遅延可能データ呼の早期終止（ｅａｒｌｙ  ｔｅｒｍｉｎａｔｉｏｎ）を提供してもよい。図７は、本発明の別の実施態様による、通信システム１００の早期終止プロセスの論理フローチャート７００である。論理フローチャート７００が開始（７０２）されると、ＭＳ１０２は、エア・インタフェース１２８を通じた第１のデータ接続を介する、ＲＡＮ１１２からまたはＲＡＮ１１２への遅延可能データの転送に参加する（７０４）。遅延可能データは、第１のデータ接続に関連し、かつデータ接続の確立時にＭＳ１０２によってＲＡＮ１１２へ示される、第１の優先順位のデータである。本発明の一実施態様では、「遅延可能」データ呼に関連するＳＯ値をＭＳが埋込む発呼メッセージなど、データ呼の開始の要求を介して、または呼の設定のサービスの交渉を通じて、第１のデータ接続に関連する優先順位をＭＳ１０２がＲＡＮ１１２に通知する。本発明の別の実施態様では、ＭＳ１０２は、第１の組のＱｏＳパラメータを含むメッセージをＲＡＮ１１２へ伝達することによって、データ接続に関連する優先順位をＲＡＮ１１２へ通知する。第１の組のＱｏＳパラメータは、「通常」データ呼など、より高い優先順位のデータ呼ではなく、「遅延可能データ」呼など、第１の優先順位、すなわち、より低い優先順位のデータ呼に対応する。
【００５８】
データ呼の経過の間に、ＲＡＮ１１２、好適には制御装置１１６が、またはＭＳ１０２が、エア・インタフェース１２８が輻輳していると判定する（７０６）。エア・インタフェース１２８が輻輳していると判定すると、遅延可能データ呼は終止される（７０８）。本発明の一実施態様では、エア・インタフェース１２８が輻輳しているとＲＡＮ１１２が判定する場合、ＲＡＮ、好適には制御装置１１６は、例えば、フォーワード・リンク・トラフィック・チャネル１３３を通じて伝達されるＳＭＳ／ＳＤＢ（ショート・データ・バースト）のメッセージなどトラフィック・チャネルのメッセージ、またはフォーワード・リンク・シグナリング・チャネル１３２を通じてＭＳへ伝達される制御メッセージなどをＭＳ１０２へ伝達し、エア・インタフェース１２８が輻輳していることをＭＳに通知する。メッセージを受信すると、ＭＳ１０２は、第１のデータ接続の終止を開始することによって、データ呼を終止させる。本発明の別の実施態様では、ＭＳ１０２が、エア・インタフェース１２８は輻輳していると自己判定し、第１のデータ接続の終止を開始することによって、データ呼を終止させてもよい。さらに、ＭＳ１０２は、遅延可能データ転送の状態をＭＳのメモリ・デバイス１０８に保存する（７１０）。
【００５９】
本発明の一実施態様では、ＭＳ１０２は第１のデータ接続の終止後、任意の残存する未転送の遅延可能データの転送を、もはやエア・インタフェース１２８が輻輳していないとＭＳが判定するまで遅延させてもよい。そのような一実施態様では、ＭＳ１０２は、第１のデータ接続の終止後、エア・インタフェース１２８を監視（７１２）し、エア・インタフェースが輻輳し続けているか否かを判定する（７１４）。一実施態様では、上述でより詳細に説明したように、ＭＳ１０２は、遅延可能データがブロックされているか否かを通知するオーバーヘッド・メッセージ１４０をエア・インタフェースのシグナリング・チャネル１３２で監視することによって、輻輳を監視してもよい。受信したオーバーヘッド・メッセージの各々に基づいて、ＭＳ１０２は、遅延可能データのブロックが続行しているか否かを判定する。別のそのような実施態様では、上述で詳細に説明したように、ＭＳ１０２は、エア・インタフェース１２８を通じてＭＳが受信する信号において信号品質メトリックを測定することによって、輻輳を監視してもよい。続いて、ＭＳ１０２は、測定した信号品質メトリックの各々を対応する信号品質の閾値と比較する。測定した信号品質メトリックが、対応する閾値と否定的に比較される限り、ＭＳ１０２は、エア・インタフェース１２８が輻輳しており、遅延可能データの転送がブロックされているとの仮定を続行してもよい。
【００６０】
もはやエア・インタフェース１２８が輻輳していないとＭＳ１０２が判定する場合、ＭＳは、エア・インタフェース１２８を通じて第２のデータ接続を確立させる（７１６）。好適には、第２のデータ接続は、第１のデータ接続と同じ優先順位であり、かつ同じ請求レートに関連する。第２のデータ接続を確立させると、ＭＳ１０２、好適にはプロセッサ１０６は、メモリ・デバイス１０８に保存した状態を参照し、任意の残存する未転送の遅延可能データを、第２のデータ接続を通じて、ＲＡＮ１１２へ転送またはＲＡＮ１１２から転送する（７１８）。続いて論理フローは終了する（７２０）。
【００６１】
本発明の別の実施態様では、第１のデータ接続の終止後、任意の残存する未転送の遅延可能データの転送を遅延させる代わりに、ＭＳ１０２は、より高い優先順位の、さらに高価なデータとして、その残存する遅延可能データを転送してもよい。そのような一実施態様では、第１のデータ接続の終止後、ＭＳ１０２は、第２の、より高い優先順位のデータに関連する第２のデータ接続を、エア・インタフェース１２８を通じて確立させる（７２２）。そのような一実施態様では、「通常」データ呼など、より高い優先順位のデータ呼に関連するＳＯ値をＭＳが埋込む発呼メッセージなど、データ呼の開始の要求を介して、または呼の設定のサービスの交渉を通じて、第２のデータ接続に関連する優先順位をＭＳ１０２がＲＡＮ１１２に通知してもよい。本発明の別の実施態様では、ＭＳ１０２は、第２の組のＱｏＳパラメータ、すなわち、遅延可能データ呼に対応するＱｏＳパラメータではなく、より高い優先順位のデータ呼に対応するパラメータを含むメッセージをＲＡＮ１１２へ伝達することによって、データ接続に関連する優先順位をＲＡＮ１１２へ通知する。
【００６２】
第２の、より高い優先順位のデータ接続を確立させると、続いてＭＳ１０２、好適にはプロセッサ１０６は、メモリ・デバイス１０８に保存した状態を参照し、任意の残存する未転送の遅延可能データを、第２のデータ接続を通じて、ＲＡＮ１１２へ転送またはＲＡＮ１１２から転送する（７２４）。残存する遅延可能データを、より高い優先順位のデータ接続を通じて転送する場合、上述でより詳細に説明したように、通信システム１００は、そのようなデータの転送に対し、より高い優先順位のデータの請求レートで、ＭＳに関連する顧客に課金する（７２６）。続いて論理フローは終了する（７２０）。
【００６３】
呼の開始に続いてエア・インタフェース１２８が輻輳していると判定した時に遅延可能データ呼の早期終止を提供することによって、さらに通信システム１００は、帯域利用率が高い高負荷またはピーク負荷期間から帯域利用率が低い低負荷期間へと、より低い優先順位の遅延可能データを移行させることが可能である。高負荷またはピーク負荷期間に「遅延可能」データの転送をブロックすること、またはシステムのユーザがそのような転送を遅延させるのを奨励することによって、ピーク負荷を低減させ、オフ・ピークの帯域利用率を改善してもよい。通信システム１００は、システムのユーザが高負荷またはピーク負荷期間に、遅延可能な、より低い優先順位のデータを、より高い優先順位のデータとして転送しないような動機を提供することによって、そうした期間にシステムのユーザが「遅延可能」データの転送を遅延させることを奨励し、さらに、ユーザがシステムの輻輳していない期間に高い優先順位のデータを、より高価でない、より低い優先順位のデータとして転送しないような動機を提供する。
【００６４】
ＭＳ１０２などのＭＳは、ＭＳが受信するシステム・オーバーヘッド・メッセージ１４０に基づいて、またはＭＳによるシステム輻輳の自己判定に基づいて、より低い優先順位の遅延可能データを転送することがＭＳに認可されるか否かを判定してもよい。輻輳期間にＭＳが低い優先順位の呼の設定を試み、続いてインフラストラクチャ１１０によって呼の設定をブロックされてもよい。ＭＳが遅延可能データの転送をブロックされる場合、ＭＳは、データの転送を遅延させてもよく、より高い優先順位のデータとしてデータを転送してもよい。ＭＳは、呼の設定時、インフラストラクチャ１１０へ伝達されるＳＯ値または１つ以上のＱｏＳパラメータを介して、このより高い優先順位を示してもよい。続いて、受信したＳＯ値または１つ以上のＱｏＳパラメータに基づいて、インフラストラクチャ１１０が、この呼に対する適切な請求レートを決定することが可能である。インフラストラクチャ１１０がＳＯ値またはＱｏＳパラメータを用いる必要はなく、１時間のうちの一定の時間、データが転送される時間など、一定の期間に基づいて、適切な請求レートを決定してもよい。
【００６５】
本発明を特定の実施態様に関連して詳細に示し説明したが、続く特許請求の範囲に述べた本発明の範囲から逸脱することなく、本発明の要素について様々な変更が実施され、均等物で代用され得ることが、当業者には理解されるであろう。したがって、明細書および図面は限定ではなく例示と見なされるべきであり、そのような変更および代用は全て本発明の範囲の内に含まれることを意図するものである。
【００６６】
利点、他の長所、および問題に対する解決法を、特定の実施態様に関連して上述で説明した。しかしながら、利点、他の長所、問題に対する解決法と、利点、他の長所、または問題に対する解決法を生じさせる、またはより明瞭とし得る任意の要素とは、任意のまたは全ての請求項における、必須、必要、または不可欠な特徴若しくは要素として解釈されるべきではない。本明細書で用いられる、「から成る（ｃｏｍｐｒｉｓｅ）」、「から成り（ｃｏｍｐｒｉｓｉｎｇ）」の語、またはその変形では、一連の要素から成るプロセス、方法、物品、または装置は、それらの要素のみを含むのではなく、明示的に挙げられていない他の要素、すなわち、そうしたプロセス、方法、物品、または装置に固有の他の要素を含み得る、非限定的な包含を覆うことを意図している。さらに、第１および第２、上および下など、関係する語が用いられる場合、一つのエンティティまたは行為を別のエンティティまたは行為から区別するためにのみ用いられ、そうしたエンティティまたは行為の間に実際にそうした関係または順序を必ずしも必要とするものでもなく、意味するものでもないことが理解される。
【図面の簡単な説明】
【００６７】
【図１】本発明の一実施態様による無線通信システムのブロック図。
【図２】本発明の一実施態様による、図１の無線通信システムによる遅延可能データ・サービスの提供の論理フローチャート。
【図３】本発明の一実施態様による、図１のラジオ・アクセス・ネットワークによってオーバーヘッド・メッセージを図１の移動局に提供する論理フローチャート。
【図４】本発明の別の実施態様による、図１の無線通信システムによる遅延可能データ・サービスの提供の論理フローチャート。
【図５】本発明の一実施態様による、図１の通信システムによる遅延可能データの転送に対する制限の提供の論理フローチャート。
【図６Ａ】本発明の他の実施態様による図１の通信システムが遅延可能データ呼を処理するプロセスの論理フローチャート。
【図６Ｂ】図６Ａに続く、本発明の別の実施態様による図１の通信システムが遅延可能データ呼を処理するプロセスの論理フローチャート。
【図７】本発明の別の実施態様による、図１の通信システムによって実行される早期終止プロセスの論理フローチャート。
【図１】
0004410762.tif 000002
【図２】
0004410762.tif 000003
【図３】
0004410762.tif 000004
【図４】
0004410762.tif 000005
【図５】
0004410762.tif 000006
【図６Ａ】
0004410762.tif 000007
【図６Ｂ】
0004410762.tif 000008
【図７】
0004410762.tif 000009